(57)【特許請求の範囲】
【請求項１】
画像を投射する投射レンズ及び前記投射レンズを収納する鏡筒を有する投射光学装置と、
内部に前記投射光学装置を収納する外装筐体と、
前記投射レンズを保護するレンズキャップと、を備え、
前記レンズキャップは、前記外装筐体及び前記鏡筒のいずれかに形成された開口部を介して露出される前記投射レンズの少なくとも一部を覆う本体部と、
前記本体部と一体的に形成され、前記開口部の内周縁に係合して当該レンズキャップを前記開口部内に係止する爪部と、を有し、
前記本体部は、前記開口部の内周縁に係合された前記爪部が前記内周縁から離れる方向と略平行に指が掛けられる指掛け部を有し、
前記爪部は、当該プロジェクターが所定の設置面上に設置され、かつ、前記レンズキャップが前記開口部に嵌め込まれた際の前記本体部における上部に配置される第１爪部、及び、下部に配置される第２爪部を含み、
前記指掛け部は、当該プロジェクターが所定の設置面上に設置され、かつ、前記レンズキャップが前記開口部に嵌め込まれた際の前記本体部における上部に配置される第１指掛け部、及び、下部に配置される第２指掛け部を含み、
前記開口部は、当該プロジェクターが所定の設置面に設置された際の下部が上部より大きい形状に形成され、
前記レンズキャップは、前記開口部に合わせた形状に形成され、
前記第２爪部の数は、前記第１爪部の数より多いことを特徴とするプロジェクター。
【請求項２】
請求項１に記載のプロジェクターにおいて、
前記本体部は、前記開口部の内周縁に沿って形成されて、前記レンズキャップが前記開口部内に嵌め込まれる際に前記開口部内に挿入される環状部を有し、
前記爪部は、前記環状部に形成され、
前記環状部は、前記爪部を挟む位置に切欠を有することを特徴とするプロジェクター。
【請求項３】
請求項２に記載のプロジェクターにおいて、
前記切欠を形成する端縁のうち、前記爪部側とは反対側の端縁には、前記環状部の外側に突出するリブが形成されていることを特徴とするプロジェクター。
【請求項４】
請求項１から請求項３のいずれか１項に記載のプロジェクターにおいて、
前記開口部の内周縁に位置し、前記爪部が係合される起立部を有することを特徴とするプロジェクター。
【発明の詳細な説明】
【技術分野】
【０００１】
本発明は、プロジェクターに関する。
【背景技術】
【０００２】
従来、画像を投射する投射レンズを保護するレンズカバーを備えたプロジェクターが知られている。このようなプロジェクターとして、外装筐体に着脱されるレンズカバーを備えたプロジェクターが提案されている（例えば、特許文献１参照）。
この特許文献１に記載のプロジェクターでは、外装筐体は、係止部（溝部）を有し、レンズカバーは、レンズカバー本体と当該レンズカバー本体に摺動自在に取り付けられる摺動部材とを備える。レンズカバー本体は、投射レンズを保護する保護面と、投射レンズの光軸方向に沿って外装筐体側に起立する上面部及び下面部と、当該上面部及び下面部から係止部（溝部）に向けて突出する爪部とを有する。また、摺動部材は、操作部と延出部とを備え、延出部は、前述した下面部から係止部（溝部）に向けて突出する爪部を有する。このため、操作者により操作部が操作されると、延出部の爪部が係止部（溝部）から離れる方向に移動する。このような構成により、外装筐体に対してレンズカバーを着脱自在にでき、当該レンズカバーが外装筐体に装着されている際に投射レンズが保護される。
【先行技術文献】
【特許文献】
【０００３】
【特許文献１】特開２００９−０８６１９９号公報
【発明の概要】
【発明が解決しようとする課題】
【０００４】
しかしながら、特許文献１のプロジェクターでは、レンズカバー（レンズキャップ）がレンズカバー本体と、摺動部材を構成する操作部及び爪部を有する延出部とがそれぞれ別部材として構成されている、すなわち、レンズカバーの構成が複雑であることから、当該レンズカバーの装着及び取り外しが難しいという問題がある。
【０００５】
本発明は、簡単な構成で容易に着脱できるレンズキャップを備えたプロジェクターを提供することを目的の１つとする。
【課題を解決するための手段】
【０００６】
本発明の第１態様に係るプロジェクターは、画像を投射する投射レンズ及び前記投射レンズを収納する鏡筒を有する投射光学装置と、内部に前記投射光学装置を収納する外装筐体と、前記投射レンズを保護するレンズキャップと、を備え、前記レンズキャップは、前記外装筐体及び前記鏡筒のいずれかに形成された開口部を介して露出される前記投射レンズの少なくとも一部を覆う本体部と、前記本体部と一体的に形成され、前記開口部の内周縁に係合して当該レンズキャップを前記開口部内に係止する爪部と、を有し、前記本体部は、前記開口部の内周縁に係合された前記爪部が前記内周縁から離れる方向と略平行に指が掛けられる指掛け部を有することを特徴とする。
【０００７】
なお、上記レンズキャップとしては、ポリプロピレン等の合成樹脂により一体成形され、一定の圧力をかけることにより撓む性質を有するレンズキャップが例示できる。
上記第１態様によれば、レンズキャップが上記開口部に装着されている際に、当該レンズキャップの指掛け部に指を掛けて、所定の圧力を加えることで、当該指掛け部に指を掛ける方向（以下、指掛け方向という）にレンズキャップを撓ませることができる。これによれば、爪部を開口部の内周縁から離間する方向に移動させることができるので、当該爪部を開口部の内周縁から容易に外すことができる。従って、レンズキャップをプロジェクターの外装筐体及び鏡筒のいずれかの開口部から容易に取り外すことができる。
また、上記開口部内にレンズキャップを嵌め込めば、上記爪部が撓んで、当該開口部の内周縁と係合するので、レンズキャップを当該開口部に容易に装着できる。
更に、レンズキャップの本体部と爪部とが一体的に形成されていることから、例えば、上記特許文献１のプロジェクターのレンズキャップと比べて部品点数を削減できる。従って、レンズキャップの生産性を向上でき、ひいては、プロジェクターの製造コストを低減できる。
【０００８】
上記第１態様では、前記本体部は、前記開口部の内周縁に沿って形成され、前記レンズキャップが前記開口部内に嵌め込まれる際に前記開口部内に挿入される環状部を有し、前記爪部は、前記環状部に形成されて、前記環状部は、前記爪部を挟む位置に切欠を有することが好ましい。
上記第１態様によれば、爪部が設けられた環状部の当該爪部を挟む位置に切欠が設けられているので、切欠がない場合と比べて、爪部を撓ませやすくすることができる。これにより、レンズキャップを開口部に装着する際に、爪部を開口部の内周縁に係合させやすくすることができる。すなわち、外装筐体に対するレンズキャップの着脱をより容易にすることができる。
更に、環状部が開口部の内周縁に沿って形成されているので、レンズキャップが開口部に装着された際に、当該レンズキャップが外装筐体及び鏡筒のいずれかに形成された開口部の内周縁に環状部を当接させることができる。これにより、レンズキャップの外装筐体及び鏡筒のいずれかに対する位置ずれを抑制することができる。
【０００９】
上記第１態様では、前記切欠を形成する端縁のうち、前記爪部側とは反対側の端縁には、前記環状部の外側に突出するリブが形成されていることが好ましい。
上記一態様によれば、レンズキャップが開口部に装着された際には、上記リブが当該開口部の内周縁に当接する。これにより、爪部による起立部への係合力（係止力）を調整することができる。従って、レンズキャップを適度な圧力で開口部に保持することができるので、より容易にレンズキャップの外装筐体及び鏡筒のいずれかに着脱できる。
【００１０】
上記第１態様では、前記開口部の内周縁に前記爪部が係合される起立部を有することが好ましい。
上記第１態様によれば、レンズキャップの爪部を開口部の内周縁に係合させる場合に比べて、より爪部を起立部に引掛けやすくすることができる。また、開口部の内周縁にレンズキャップの爪部が引っ掛かる凹部を設けた場合に比べて、レンズキャップを外した際のプロジェクターの美観が損なわれることを抑制できる。
【００１１】
上記第１態様では、前記爪部は、当該プロジェクターが所定の設置面上に設置され、かつ、前記レンズキャップが前記開口部に嵌め込まれた際の前記本体部における上部に配置される第１爪部、及び、下部に配置される第２爪部を含み、前記指掛け部は、当該プロジェクターが所定の設置面上に設置され、かつ、前記レンズキャップが前記開口部に嵌め込まれた際の前記本体部における上部に配置される第１指掛け部、及び、下部に配置される第２指掛け部を含むことが好ましい。
上記第１態様によれば、上記指掛け部に含まれる第１指掛け部及び第２指掛け部が、本体部における上部及び下部に設けられているので、本体部を例えば親指及び中指で挟むようにして、レンズキャップを把持しやすくすることができる。また、第１指掛け部及び第２指掛け部に操作者が指を掛けて本体部を圧迫すると、第１指掛け部が下部に移動し、第２指掛け部が上部に移動するので、各指掛け部によりレンズキャップを把持する操作に伴って、第１爪部を下方に、第２爪部を上方に移動させることができる。従って、レンズキャップを開口部から一層容易に取り外すことができる。
【００１２】
上記第１態様では、前記開口部は、当該プロジェクターが所定の設置面に設置された際の下部が上部より大きい形状に形成され、前記レンズキャップは、前記開口部に合わせた形状に形成され、前記第２爪部の数は、前記第１爪部の数より多いことが好ましい。
上記一態様によれば、レンズキャップが上記開口部に嵌め込まれた際に、当該開口部において上部より幅広な下部の内周縁に、当該上部の内周縁に係合する第１爪部より多い第２爪部が係合するので、レンズキャップを安定して上記開口部に装着できる。一方、本体部において下部より幅狭な上部には、第２爪部より少ない数の第１爪部が設けられているため、上部に位置する第１爪部を下部に位置する第２爪部に比べて外し易くすることができる。ここで、本体部における下部と上記開口部の内周縁との係合箇所を支点として、上部を開口部から離間させるようにレンズキャップを回動させるようにレンズキャップを取り外す操作では、当該上部に位置する第１爪部の数が第２爪部より少ないことから、当該レンズキャップの上部を上記開口部から離間させやすくすることができる。従って、より容易にレンズキャップを上記開口部から取り外すことができる。
【００１３】
本発明の第２態様に係るプロジェクターは、画像を投射する投射レンズ及び前記投射レンズを収納する鏡筒を有する投射光学装置と、内部に前記投射光学装置を収納する外装筐体と、前記投射レンズを保護するレンズキャップと、を備え、前記レンズキャップは、前記外装筐体及び前記鏡筒のいずれかに形成された開口部を介して露出される前記投射レンズの少なくとも一部を覆う本体部と、前記本体部と一体的に形成され、前記開口部の外周縁に係合して、前記開口部に応じた位置に前記レンズキャップを係止する爪部と、を有し、前記本体部は、当該本体部により覆われる前記投射レンズによる画像の投射方向とは反対方向から見て、前記開口部の外周縁に係合された前記爪部が前記外周縁から離れる方向と略直交する方向に指が掛けられる指掛け部を有することを特徴とする。
【００１４】
なお、上記レンズキャップとしては、ポリプロピレン等の合成樹脂により一体成形され、一定の圧力をかけることにより撓む性質を有するレンズキャップが例示できる。
上記第２態様によれば、レンズキャップが上記開口部に装着されている際に、当該レンズキャップの指掛け部に指をかけて、所定の圧力を加えることで、指掛け方向にレンズキャップを撓ませることができる。これによれば、爪部を開口部の外周縁から離間させる方向に移動させることができるので、当該爪部を開口部の外周縁から容易に外すことができる。従って、レンズキャップをプロジェクターの外装筐体及び鏡筒のいずれかの開口部から容易に取り外すことができる。
また、上記開口部の外周縁にレンズキャップを押し込めば、上記爪部が撓んで、当該開口部の外周縁と係合するので、レンズキャップを当該開口部に容易に装着できる。
更に、レンズキャップが一体成形されていることから、例えば、上記特許文献１のプロジェクターのレンズキャップと比べて部品点数を削減できる。従って、レンズキャップの生産性を向上でき、ひいては、プロジェクターの製造コストを低減できる。
【００１５】
上記第１態様及び第２態様では、前記指掛け部は、当該指掛け部に対して指が掛けられる方向に凹む凹部を有することが好ましい。
上記一態様によれば、指掛け部が上記凹部を有することにより、当該指掛け部に指を掛けやすくすることができる他、指掛け方向に圧力を加えやすくすることができる。従って、レンズキャップを容易に撓ませることができ、当該レンズキャップを上記開口部から容易に取り外すことができる。
【図面の簡単な説明】
【００１６】
【図１】本発明の第１実施形態に係るプロジェクターを正面側から見た斜視図。
【図２】上記第１実施形態におけるプロジェクターの光学系を示す模式図。
【図３】上記第１実施形態におけるレンズキャップを外したプロジェクターを正面側から見た斜視図。
【図４】上記第１実施形態におけるフロントケースを裏面側から見た斜視図。
【図５】上記第１実施形態におけるレンズキャップを裏面側から見た斜視図。
【図６】上記第１実施形態におけるレンズキャップを下面側から見た斜視図。
【図７】上記第１実施形態におけるレンズキャップを装着した状態のプロジェクターの断面図。
【図８】本発明の第２実施形態に係るプロジェクターの正面図。
【図９】上記第２実施形態におけるレンズキャップを装着した状態のプロジェクターの断面図。
【図１０】上記第２実施形態におけるレンズキャップを正面側から見た斜視図。
【発明を実施するための形態】
【００１７】
［第１実施形態］
以下、本発明の第１実施形態について図面に基づいて説明する。
［プロジェクターの概略］
図１は、本実施形態に係るプロジェクター１を正面側から見た斜視図である。
本実施形態に係るプロジェクター１は、後述する光源装置４１から出射された光を変調して画像情報に応じた画像を形成し、当該画像をスクリーン等の被投射面上に拡大投射する。このプロジェクター１は、図１に示すように外装筐体２、当該外装筐体２内に収納される装置本体３（図２参照）、及び、外装筐体２に着脱自在に取り付けられるレンズキャップ５を備える。
なお、このプロジェクター１は、所定の設置面に後述する底面部２Ｂを対向させて載置される正置き姿勢だけでなく、当該正置き姿勢とは上下が逆の逆置き姿勢でも使用できるように構成されている。
【００１８】
［外装筐体の構成］
外装筐体２は、全体略直方体形状を有し、本実施形態では合成樹脂により形成されている。この外装筐体２は、アッパーケース２１、ロアーケース２２、フロントケース２３及びリアケース２４が組み合わされて構成されている。
これらのうち、アッパーケース２１により、外装筐体２の天面部２Ａと、左右の両側面部２Ｅ及び２Ｆのそれぞれの一部とが構成される。また、ロアーケース２２により、外装筐体２の底面部２Ｂと、左右の両側面部２Ｅ及び２Ｆのそれぞれの一部とが構成される。
更に、フロントケース２３により、外装筐体２の正面部２Ｃが構成され、リアケース２４により、背面部２Ｄが構成される。
なお、以下の図及び説明において、Ｚ方向は、後述する投射光学装置４６から投射された光の進行方向（投射方向）を示し、Ｘ方向及びＹ方向は、当該Ｚ方向に直交し、かつ、互いに直交する方向を示す。これらのうち、Ｙ方向は、平面視でＺ方向が水平方向に沿うようにプロジェクター１が配置された場合に、鉛直方向とは反対方向である上方（すなわち、外装筐体２の底面部２Ｂから天面部２Ａに向かう方向）を示し、Ｘ方向は、Ｚ方向側（光の進行方向側）から見て左から右に向かう方向を示す。
【００１９】
これらのうち、正面部２Ｃを構成するフロントケース２３は、略半円形状の開口部２３１を有する。この開口部２３１は、投射レンズ４６１から出射された光が被投射面に投射可能な大きさに形成されている。このような開口部２３１には、レンズキャップ５が着脱自在に取り付けられる。なお、フロントケース２３及びレンズキャップ５の構成は、後に詳述する。
【００２０】
［装置本体の構成］
図２は、外装筐体２内に設けられる装置本体３の構成を示す模式図である。
装置本体３は、図２に示すように、画像を形成及び投射する光学ユニット４を備える。この他、装置本体３は、図示を省略するが、音声出力ユニット、プロジェクター１全体を制御する制御ユニット、プロジェクター１の構成部品に電力を供給する電源ユニット、及び、冷却対象を冷却する冷却ユニットを備える。
【００２１】
［光学ユニットの構成］
光学ユニット４は、不図示の制御ユニットによる制御の下、画像情報に応じた画像を形成及び投射する。この光学ユニット４は、光源装置４１、照明光学装置４２、色分離装置４３、リレー装置４４、電気光学装置４５及び投射光学装置４６と、これらを支持する光学部品用筐体４７と、を備える。
【００２２】
光源装置４１は、光源ランプ４１１及びリフレクター４１２を有し、照明光学装置４２に光束を出射する。
照明光学装置４２は、光源装置４１から出射された光束の中心軸に対する直交面内の照度を均一化する。この照明光学装置４２は、光源装置４１からの光の入射順に、第１レンズアレイ４２１、調光装置４２５、第２レンズアレイ４２２、偏光変換素子４２３及び重畳レンズ４２４を有する。
【００２３】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２４】
電気光学装置４５は、分離された各色光を画像情報に応じてそれぞれ変調した後、変調された各色光を合成する。この電気光学装置４５は、色光ごとに設けられる３つのフィールドレンズ４５１、３つの入射側偏光板４５２、光変調装置としての３つの液晶パネル４５３（赤、緑及び青用の液晶パネルをそれぞれ４５３Ｒ，４５３Ｇ，４５３Ｂとする）及び３つの出射側偏光板４５４と、変調された各色光を合成する色合成光学装置としてのクロスダイクロイックプリズム４５５とを有する。
投射光学装置４６は、合成された色光（画像を形成する光束）を上記被投射面上に拡大投射する投射レンズ４６１と、鏡筒４６２と、を備えた組レンズとして構成されている。このような投射光学装置４６（詳しくは投射レンズ４６１）により投射される光は、フロントケース２３の開口部２３１（図３参照）から投射される。
【００２５】
光学部品用筐体４７は、詳しい図示を省略するが、各種光学部品を収納する溝部が形成された部品収納部材と、当該部品収納部材に形成された部品収納用の開口部を閉塞する蓋状部材と、投射光学装置４６を支持する支持部材と、を備える。
この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２６】
［フロントケースの構成］
図３は、レンズキャップ５を外したプロジェクター１を正面部２Ｃ側から見た斜視図であり、図４は、フロントケース２３を裏面側（外装筐体２の内側）から見た斜視図である。なお、以下の説明では、投射光学装置４６の中心軸をＺ方向とし、Ｘ方向及びＹ方向は、当該Ｚ方向に直交し、かつ、互いに直交する方向とする。これらのうち、Ｙ方向は、Ｚ方向が水平方向に沿う方向となるようにプロジェクターを配置した場合（正置き姿勢とした場合）に、下から上に向かう方向を指し、Ｘ方向は、Ｚ方向側から見て左から右に向かう方向を指す。
外装筐体２を構成するフロントケース２３は、図３及び図４に示すように、上記投射光学装置４６から投射される画像が通過する開口部２３１を有する。すなわち、開口部２３１は、投射光学装置４６の一部、すなわち、投射レンズ４６１のうち、最もＺ方向側に位置するレンズを露出させる。
このような開口部２３１は、図３に示すように、Ｙ方向側の寸法よりＹ方向とは反対側の寸法が大きく形成されている。すなわち、開口部２３１は、プロジェクター１が所定の設置面に設置された際の下部が上部より大きい形状に形成された略半円形状に形成されている。
【００２７】
また、フロントケース２３は、図４に示すように、開口部２３１の内周縁２３１１から当該開口部２３１の内側に起立する起立部２３１２を備え、Ｙ方向側部分を第１起立部２３１３とし、Ｙ方向とは反対側部分を第２起立部２３１４とする。この第１起立部２３１３のＸ方向の寸法は、第２起立部２３１４のＸ方向の寸法に比べて短くなっている。
起立部２３１２には、投射レンズ４６１を保護するレンズキャップ５の各爪部５２，５３，５４（図５参照）が係合する。
【００２８】
［レンズキャップの構成］
レンズキャップ５は、例えば、ポリプロピレン等の合成樹脂により形成された一体成形品であり、一定の圧力をかけると撓む可撓性を有する。このレンズキャップ５は、図１に示すように、上記開口部２３１の開口面の形状に合わせて略半円形状に形成され、Ｙ方向とは反対側の寸法がＹ方向側の寸法より大きく形成されている。すなわち、レンズキャップ５は、フロントケース２３の開口部２３１より若干大きな寸法で形成されている。
このようなレンズキャップ５は、投射レンズ４６１を覆う本体部５１と、それぞれ当該本体部５１を開口部２３１の内周縁に係止する第１爪部５２、第２爪部５３及び第３爪部５４と、を有する。
【００２９】
本体部５１は、図１に示すように、外縁部より中央部分がＺ方向に膨出した形状を有する。この本体部５１は、当該本体部５１においてＺ方向側の面である表面５１Ａに形成された第１指掛け部５１２及び第２指掛け部５１３を有する。
これらのうち、Ｙ方向側の端部近傍に形成された第１指掛け部５１２は、当該第１指掛け部５１２に指（例えば親指）を掛ける方向、すなわち、Ｙ方向とは反対側に凹む略円弧状の凹部５１２Ａを有する。
一方、Ｙ方向とは反対側に形成された第２指掛け部５１３は、当該第２指掛け部５１３に指（例えば、中指及び薬指）を掛ける方向、すなわち、Ｙ方向側に凹む略円弧状の凹部５１３Ａを有する。
【００３０】
図５は、レンズキャップ５を裏面５１Ｂ側（投射レンズと対向する側）から見た斜視図であり、図６は、レンズキャップ５を裏面５１Ｂ側で、かつ、底面部２Ｂ側から見た斜視図である。
本体部５１の裏面５１Ｂには、図５及び図６に示すように、当該本体部５１の外周縁５０より径寸法が若干小さく、かつ、Ｚ方向とは反対方向に環状に突出する環状部５１４が形成されている。
環状部５１４は、レンズキャップ５が開口部２３１に嵌め込まれる際に、当該開口部２３１内に挿入される部位である。この環状部５１４には、第１爪部５２、第２爪部５３及び第３爪部５４が形成されている。
【００３１】
第１爪部５２は、環状部５１４においてＹ方向側の端部に形成されている。この第１爪部５２は、当該環状部５１４の外側に向けて屈曲した鉤状部５２Ａを有し、レンズキャップ５が開口部２３１に嵌め込まれた際に、当該鉤状部５２Ａが、上記第１起立部２３１３と係合する。
このような第１爪部５２の両端には、それぞれ第１切欠５５が形成され、第１爪部５２が独立して撓むように構成されている。
また、第１爪部５２を挟む一対の第１切欠５５において、当該第１爪部５２とは反対側の端縁を形成する環状部５１４の部位には、当該環状部５１４の外側に突出する第１リブ５１４１が形成されている。これら第１リブ５１４１は、レンズキャップ５が開口部２３１に嵌め込まれた際に、上記起立部２３１２（第１起立部２３１３）に当接する。これにより、第１爪部５２による第１起立部２３１３への係合力（係止力）を調整することができ、レンズキャップ５を適度な圧力で開口部２３１に保持することができる。
【００３２】
第２爪部５３及び第３爪部５４は、それぞれ本発明の第２爪部に相当する。これら各爪部５３，５４は、それぞれ環状部５１４においてＹ方向とは反対側の端部に形成されている。これらのうち、第２爪部５３は、Ｘ方向側に位置し、第３爪部５４は、Ｘ方向とは反対側に位置している。そして、これら第２爪部５３及び第３爪部５４は、上記第１爪部５２と同様に、環状部５１４の外側に向けて屈曲した鉤状部５３Ａ，５４Ａを有し、レンズキャップ５が開口部２３１に嵌め込まれた際に、これら鉤状部５３Ａ，５４Ａが、上記第２起立部２３１４と係合する。
【００３３】
また、第２爪部５３の両端には、それぞれ第２切欠５６が形成され、第３爪部５４の両端には、それぞれ第３切欠５７が形成されており、第２爪部５３及び第３爪部５４がそれぞれ独立して撓むようになっている。
更に、第２爪部５３に対して第３爪部５４とは反対側に位置する第２切欠５６を形成する端縁のうち、第２爪部５３とは反対側の端縁を形成する環状部５１４の部位には、環状部５１４の外側に突出する第２リブ５１４２が形成されている。同様に、第３爪部５４に対して第２爪部５３とは反対側に位置する第３切欠５７を形成する端縁のうち、第３爪部５４とは反対側の端縁を形成する環状部５１４の部位には、環状部５１４の外側に突出する第３リブ５１４３が形成されている。これら各リブ５１４２，５１４３は、レンズキャップ５が開口部２３１に嵌め込まれた際に、上記第１リブ５１４１と同様に機能する。
【００３４】
ここで、図１、図５及び図６に示すように、第１爪部５２は、第１指掛け部５１２の略中央部からＹ方向側の位置に配置されている。また、第２爪部５３は、第１指掛け部５１２よりＸ方向の寸法が大きく形成された第２指掛け部５１３におけるＸ方向側の端部近傍で、かつ、当該第２指掛け部５１３に対するＹ方向とは反対側に形成されている。更に、第３爪部５４は、第２指掛け部５１３におけるＸ方向とは反対側の端部近傍で、かつ、当該第２指掛け部５１３に対するＹ方向とは反対側に形成されている。すなわち、第１爪部５２は、第１指掛け部５１２の形成範囲に対するＹ方向側に位置し、第２爪部５３及び第３爪部５４は、第２指掛け部５１３の形成範囲に対するＹ方向とは反対側に位置する。
【００３５】
図７は、レンズキャップ５を装着したプロジェクター１を図１の破線Ｂ−Ｂにより裁断した断面図である。
操作者が、例えば、レンズキャップ５の第１指掛け部５１２に親指を掛け、第２指掛け部５１３に中指及び薬指を掛けた状態で、レンズキャップ５の裏面５１Ｂをフロントケース２３の開口部２３１に対向させて、当該開口部２３１内にレンズキャップ５を押し付ける。これにより、レンズキャップ５は、一体成形品であるため、各爪部５２〜５４のいずれもが開口部２３１の起立部２３１２に押し付けられて撓むので、当該起立部２３１２上を各鉤状部５２Ａ〜５４Ａが滑り込み、当該レンズキャップ５は、図７に示すように、フロントケース２３の開口部２３１に装着される。
【００３６】
［レンズキャップの取外し方法］
このように、装着されたレンズキャップ５の取外し方法について以下に説明する。
まず、操作者が、例えば、第１指掛け部５１２に親指を掛け、第２指掛け部５１３に中指及び薬指を掛けた状態で、当該第１指掛け部５１２及び第２指掛け部５１３の少なくともいずれかを圧迫することで、一体成形品であるレンズキャップ５が撓み、上記爪部５２〜５４のうち、圧力が加わった指掛け部５１２，５１３側に位置する爪部５２〜５４が上記起立部２３１２から外れる。そして、圧力が加わっていない指掛け部側に位置する爪部と起立部２３１２との係合部位を支点として、レンズキャップ５が開口部２３１から離間する方向に当該レンズキャップ５を回動させることで、レンズキャップ５を開口部２３１から容易に取り外すことができる。
【００３７】
［第１実施形態の効果］
第１実施形態に係るプロジェクター１によれば、以下の効果を奏する。
本実施形態では、レンズキャップ５が開口部２３１に装着されている際に、当該レンズキャップ５の第１指掛け部５１２及び第２指掛け部５１３に指を掛けて、所定の圧力を加えることで、各指掛け部５１２，５１３の指掛け方向（Ｙ方向及びＹ方向とは反対方向）にレンズキャップ５を撓ませることができる。これによれば、各爪部５２〜５４を開口部２３１の内周縁２３１１から離間する方向に移動させることができるので、当該爪部５２〜５４を開口部２３１の内周縁２３１１から容易に外すことができる。従って、レンズキャップ５をプロジェクター１の外装筐体２（フロントケース２３）の開口部２３１から容易に取り外すことができる。
また、開口部２３１内にレンズキャップ５を嵌め込めば、各爪部５２〜５４が撓んで、開口部２３１の内周縁２３１１から突出する起立部２３１２と係合するので、レンズキャップ５を開口部２３１に容易に装着できる。
更に、レンズキャップ５の本体部５１と爪部５２〜５４とが一体的に形成されていることから、例えば、上記特許文献１のプロジェクターのレンズキャップと比べて部品点数を削減できる。従って、レンズキャップ５の生産性を向上でき、ひいては、プロジェクター１の製造コストを低減できる。
【００３８】
また、各爪部５２〜５４が設けられた環状部５１４の当該各爪部５２〜５４を挟む位置に各切欠５５〜５７が設けられているので、切欠５５〜５７がない場合に比較して、各爪部５２〜５４を撓ませやすくすることができる。これにより、レンズキャップ５を開口部２３１に装着する際に、各爪部５２〜５４を開口部２３１の起立部２３１２に係合させやすくすることができる。すなわち、外装筐体２に対するレンズキャップ５の着脱をより容易にすることができる。
更に、環状部５１４が開口部２３１の内周縁２３１１に沿って形成されているので、レンズキャップ５が開口部２３１に装着された際に、当該レンズキャップ５が開口部２３１の内周縁２３１１に環状部５１４を当接させることができる。これにより、レンズキャップ５の外装筐体２（開口部２３１）に対する位置ずれを防止することができる。
【００３９】
更に、切欠５５〜５７を形成する端縁のうち、各爪部５２〜５４側と反対側の端縁に環状部５１４の外側に突出する突出する各リブ５１４１〜５１４３が形成されているので、レンズキャップ５が開口部２３１に装着された際には、各リブ５１４１〜５１４３が開口部２３１の起立部２３１２に当接する。これにより、各爪部５２〜５４による起立部２３１２への係合力（係止力）を調整することができる。従って、レンズキャップ５を適度な圧力で開口部２３１に保持することができるので、より容易にレンズキャップ５の外装筐体２に着脱できる。
更に、レンズキャップ５の各爪部５２〜５４が開口部２３１の内周縁２３１１の起立部２３１２に着脱可能に構成されるので、レンズキャップ５の各爪部５２〜５４を開口部２３１の内周縁２３１１に係合させる場合に比べて、より爪部５２〜５４を起立部２３１２に引掛けやすくすることができる。また、開口部２３１の内周縁２３１１にレンズキャップ５の爪部５２〜５４が引っ掛かる凹部を設けた場合に比べて、レンズキャップ５を外した際のプロジェクター１の美観が損なわれることを抑制できる。
【００４０】
また、第１指掛け部５１２及び第２指掛け部５１３が、本体部５１における上部（Ｙ方向側）及び下部（Ｙ方向とは反対側）に設けられているので、本体部５１を、例えば、親指と中指及び薬指で挟むようにして、レンズキャップ５を把持しやすくすることができる。また、第１指掛け部５１２及び第２指掛け部５１３に操作者が指を掛けて本体部５１を圧迫すると、第１指掛け部５１２が下部（Ｙ方向とは反対側）に移動し、第２指掛け部５１３が上部（Ｙ方向側）に移動するので、各指掛け部５１２，５１３によりレンズキャップ５を把持する操作に伴って、第１爪部５２を下方（Ｙ方向とは反対側）に、第２爪部５３及び第３爪部５４を上方（Ｙ方向側）に移動させることができる。従って、レンズキャップ５を開口部２３１から一層容易に取り外すことができる。
【００４１】
また、レンズキャップ５が開口部２３１に嵌め込まれた際に、当該開口部２３１において上部（Ｙ方向側）より幅広な下部（Ｙ方向とは反対側）の内周縁２３１１（起立部２３１２）に、第１起立部２３１３に係合する第１爪部５２より多い第２爪部５３及び第３爪部５４が係合するので、レンズキャップ５を安定して開口部２３１に装着できる。一方、本体部５１において下部（Ｙ方向とは反対側）より幅狭な上部（Ｙ方向側）には、第２爪部５３及び第３爪部５４より少ない数の第１爪部５２が設けられているため、上部（Ｙ方向側）に位置する第１爪部５２を下部（Ｙ方向とは反対側）に位置する第２爪部５３及び第３爪部５４に比べて外し易くすることができる。
ここで、本体部５１における下部と開口部２３１の内周縁２３１１（起立部２３１２）との係合箇所を支点として、上部（Ｙ方向側）を開口部２３１から離間させるようにレンズキャップ５を回動させるようにレンズキャップ５を取り外す操作では、当該上部（Ｙ方向側）に位置する第１爪部５２の数が第２爪部５３及び第３爪部５４より少ないことから、当該レンズキャップ５の上部（Ｙ方向側）を開口部２３１から離間させやすくすることができる。従って、より容易にレンズキャップ５を開口部２３１から取り外すことができる。
【００４２】
更に、各指掛け部５１２，５１３は、指が掛けられる方向に凹む凹部５１２Ａ，５１３Ａを有することから、操作者が各指掛け部５１２，５１３に指を掛けやすくすることができる他、指掛け方向に圧力を加えやすくすることができる。従って、レンズキャップ５を容易に撓ませやすくすることができ、レンズキャップ５を外装筐体２に形成された開口部２３１から容易に取り外すことができる。
【００４３】
［第２実施形態］
次に、本発明の第２実施形態に係るプロジェクターについて説明する。
本実施形態に係るプロジェクターは、上記プロジェクター１と同様の機能及び構成を有するが、フロントケース及びレンズキャップの形状がプロジェクター１と異なる。なお、以下の説明では、既に説明した部分と同一又は略同一である部分については、同一の符号を付して説明を省略する。
【００４４】
図８は、本実施形態に係るプロジェクター１Ａを正面部２Ｃ側から見た平面図であり、図９は、レンズキャップ６が装着されたプロジェクター１Ａを図８の破線Ｃ−Ｃで裁断した断面図である。
本実施形態に係るプロジェクター１Ａは、図８に示すように、フロントケース２３及びレンズキャップ５に代えて、フロントケース２３Ａ及びレンズキャップ６を有する他は、上記プロジェクター１と同様の構成及び機能を有する。
［開口部の構造］
フロントケース２３Ａは、図９に示すように、外装筐体２内に収納された光学ユニット４により投射された画像が通過する開口部２３１Ａと係合部２３Ａ１，２３Ａ３とを有する。開口部２３１Ａは、投射光学装置４６の一部、すなわち、投射レンズ４６１のうち、最もＺ方向側に位置するレンズを露出させる。この開口部２３１Ａは、投射レンズ４６１が突出するフロントケース２３Ａの端縁の内周縁に設けられ、その外周縁には、係合部２３Ａ１，２３Ａ３が位置している。
係合部２３Ａ１，２３Ａ３は、レンズキャップ６と係合する機能を有し、鏡筒４６２に沿ってＺ方向に突出している。また、係合部２３Ａ１，２３Ａ３は、凹部２３Ａ２，２３Ａ４を有している。これら凹部２３Ａ２，２３Ａ４には、後述するレンズキャップ６の各爪部６２１，６３１が係合する。
【００４５】
［レンズキャップの構成］
図１０は、レンズキャップ６を正面部２Ｃ側から見た斜視図である。
レンズキャップ６は、例えば、ポリプロピレン等の合成樹脂により形成された一体成形品であり、一定の圧力をかけると撓む可撓性を有する。このレンズキャップ６は、図１０に示すように、上記開口部２３１Ａの開口面の形状に合わせて略円形状に形成されている。すなわち、レンズキャップ６は、フロントケース２３Ａの開口部２３１Ａより若干大きな寸法で形成されている。
このようなレンズキャップ６は、投射レンズ４６１を覆う本体部６１と、それぞれ当該本体部６１を開口部２３１Ａの外周縁の一部である上記係合部２３Ａ１，２３Ａ３に係止する第１爪部６２１、第２爪部６３１を有する。
【００４６】
本体部６１は、図１０に示すように、外縁部より中央部分がＺ方向に膨出した形状を有する。この本体部６１は、当該本体部６１においてＺ方向側の面である表面６１Ａに形成された第１指掛け部６１２及び第２指掛け部６１３を有する。
これらのうち、Ｘ方向とは反対側の端部近傍に形成された第１指掛け部６１２は、当該第１指掛け部６１２に指（例えば親指）を掛ける方向、すなわち、Ｘ方向側に凹む略円弧状の凹部６１２Ａを有する。
一方、Ｘ方向に形成された第２指掛け部６１３は、当該第２指掛け部６１３に指（例えば、人差し指及び中指）を掛ける方向、すなわち、Ｘ方向とは反対側に凹む略円弧状の凹部６１３Ａを有する。
【００４７】
本体部６１の裏面６１Ｂには、図１０に示すように、当該本体部６１の外周縁６０からＺ方向とは反対方向に円弧状に突出する第１突出部６２及び第２突出部６３が形成されている。
第１突出部６２及び第２突出部６３は、レンズキャップ６が開口部２３１Ａに装着される際に、前述した開口部２３１Ａの外周縁に位置する係合部２３Ａ１，２３Ａ３に係合する部位である。この第１突出部６２には、第１爪部６２１が形成され、第２突出部６３には、第２爪部６３１が形成されている。
第１爪部６２１は、第１突出部６２のＹ方向とは反対側の面でＺ方向と反対側の端部のＸ方向全域に形成されており、当該第１突出部６２の内側に向けて屈曲した形状になっている。また、第２爪部６３１は、第２突出部６３のＹ方向側の面でＺ方向と反対側の端部のＸ方向全域に形成されており、当該第２突出部６３の内側に向けて屈曲した形状になっている。
【００４８】
ここで、図９及び図１０に示すように、第１爪部６２１は、本体部６１により覆われる投射レンズ４６１による画像の投射方向（Ｚ方向）とは反対方向から見て、Ｙ方向に設けられ、第２爪部６３１は、Ｙ方向とは反対側に設けられる。更に、本体部６１に設けられた第１指掛け部６１２及び第２指掛け部６１３は、Ｙ方向とは反対側から見て、開口部２３１Ａの外周縁に位置する係合部２３Ａ１，２３Ａ３の凹部２３Ａ２，２３Ａ４に係合された第１爪部６２１及び第２爪部６３１が当該凹部２３Ａ２，２３Ａ４から離れる方向と略直交する方向に設けられている。すなわち、第１爪部６２１及び第２爪部６３１が凹部２３Ａ２，２３Ａ４から離れる方向（Ｙ方向及びＹ方向とは反対方向）と、第１指掛け部６１２及び第２指掛け部６１３の指掛け方向（Ｘ方向及びＸ方向とは反対方向）とは、直交する。
【００４９】
操作者が、例えば、レンズキャップ６の第１指掛け部６１２に親指を掛け、第２指掛け部６１３に人差し指及び中指を掛けた状態で、レンズキャップ６の裏面６１Ｂをフロントケース２３Ａの開口部２３１Ａに対向させて、当該開口部２３１Ａの外周縁に位置する係合部２３Ａ１，２３Ａ３にレンズキャップ６を押し付ける。これにより、レンズキャップ６は、一体成形品であるため、各爪部６２１，６３１のいずれもが係合部２３Ａ１，２３Ａ３に押し付けられて撓むので、当該係合部２３Ａ１，２３Ａ３上を当該爪部６２１，６３１が滑り込んだ後、凹部２３Ａ２，２３Ａ４に嵌まり込み、当該レンズキャップ６は、図９に示すように、フロントケース２３Ａの係合部２３Ａ１，２３Ａ３に装着される。
【００５０】
［レンズキャップの取外し方法］
このように、装着されたレンズキャップ６の取外し方法について、以下に説明する。
係合部２３Ａ１，２３Ａ３に装着されたレンズキャップ５を取り外そうとして、例えば、第１指掛け部６１２に親指を掛け、第２指掛け部６１３に人差し指及び中指を掛けた状態で、当該第１指掛け部６１２及び第２指掛け部６１３を圧迫することで、一体成形品であるレンズキャップ６が撓み、爪部６２１，６３１が凹部２３Ａ２，２３Ａ４から外れる。これにより、レンズキャップ６を係合部２３Ａ１，２３Ａ３から容易に取り外すことができる。
【００５１】
［第２実施形態の効果］
第２実施形態に係るプロジェクター１Ａによれば、上記プロジェクター１と同様の効果を奏する他、以下の効果を奏する。
本実施形態では、レンズキャップ６が開口部２３１Ａの外周縁に位置する係合部２３Ａ１，２３Ａ３に装着されている際に、当該レンズキャップ６の第１指掛け部６１２及び第２指掛け部６１３に指をかけて、所定の圧力を加えることで、指掛け方向（Ｘ方向及びＸ方向と反対方向）にレンズキャップ６を撓ませることができる。これによれば、各爪部６２１，６３１を開口部２３１Ａの外周縁に位置する各係合部２３Ａ１，２３Ａ３から離間させる方向に移動させることができるので、当該各爪部６２１，６３１を各係合部２３Ａ１，２３Ａ３から容易に外すことができる。従って、レンズキャップ６をプロジェクター１Ａの外装筐体２（フロントケース２３Ａ）の開口部２３１Ａから容易に取り外すことができる。
また、開口部２３１Ａの外周縁に位置する各係合部２３Ａ１，２３Ａ３にレンズキャップ６を押し込めば、各爪部６２１，６３１が撓んで、各係合部２３Ａ１，２３Ａ３の各凹部２３Ａ２，２３Ａ４が係合するので、レンズキャップ６を当該開口部２３１Ａに容易に装着できる。
更に、レンズキャップ６が一体成形されていることから、例えば、上記特許文献１のプロジェクターのレンズキャップと比べて部品点数を削減できる。従って、レンズキャップ６の生産性を向上でき、ひいては、プロジェクター１Ａの製造コストを低減できる。
【００５２】
［実施形態の変形］
本発明は、上記実施形態に限定されるものではなく、本発明の目的を達成できる範囲での変形、改良等は本発明に含まれるものである。
上記第１実施形態では、レンズキャップ５は、外装筐体２に形成された開口部２３１の内周縁２３１１に装着され、上記第２実施形態では、外装筐体２に形成された開口部２３１Ａの外周縁に位置する係合部２３Ａ１，２３Ａ３に装着された。しかしながら、本発明は、これに限らない。例えば、レンズキャップは、投射光学装置４６の鏡筒４６２に装着されてもよい。この場合、レンズキャップ５の爪部５２〜５４、又は、レンズキャップ６の爪部６２１，６３１が係合する係合部を鏡筒４６２に設けることで、当該鏡筒にレンズキャップ５，６を取り付けることができ、これにより、上記各実施形態と同様の作用効果を奏することができる。
【００５３】
上記第１実施形態では、各爪部５２〜５４の両端に切欠５５〜５７を形成した。しかしながら、本発明はこれに限らない。すなわち、レンズキャップの装着時に各爪部が撓んで係合部に係合可能であれば、上記切欠はなくてもよい。一方、各爪部５２〜５４は、環状部５１４に形成されているとしたが、本発明はこれに限らず、環状部５１４はなくてもよく、本体部５１から上記各爪部５２〜５４が突出していてもよい。
【００５４】
上記第１実施形態では、切欠５５〜５７を形成する端縁のうち、爪部５２〜５４側とは反対側の端縁には、環状部５１４の外側に突出するリブ５１４１〜５１４３を設けることとした。しかしながら、本発明はこれに限らない。例えば、リブ５１４１〜５１４３はなくてもよい。また、第１爪部５２を挟む第１切欠５５における当該第１爪部５２とは反対側の端縁に形成された第１リブ５１４１は、１つでもよい。一方、第２爪部５３を挟む第２切欠５６における当該第２爪部５３とは反対側の端縁のそれぞれに第２リブ５１４２を形成してもよい。第３リブ５１４３も同様である。
【００５５】
上記第１実施形態では、開口部２３１の内周縁２３１１には、上記各爪部５２〜５４が係合する起立部２３１２が形成されていた。しかしながら、本発明はこれに限らない。例えば、上記各爪部５２〜５４が係合可能に、内周縁２３１１の全周に起立部を形成してもよく、当該各爪部５２〜５４に応じた位置にのみ起立部を形成してもよい。更に、当該各爪部５２〜５４が係合可能であれば、起立部を設けなくてもよい。なお、起立部が設けられていない場合、各爪部５２〜５４は、内周縁２３１１に直接係合するように形成されていればよい。
なお、このような起立部に代えて、開口部２３１の内周縁２３１１に、上記各爪部５２〜５４が嵌まり込む凹部を形成してもよい。この場合、開口部２３１が上記のように上下で非対称形状であれば、当該開口部２３１と略同形状のレンズキャップ５を取り付ける際に、使用者が上下を間違えて、レンズキャップ５が開口部２３１に装着することを抑制できる。
【００５６】
上記第１実施形態において、レンズキャップ５が略半円形状に一体成形され、第１指掛け部５１２のＸ方向の寸法が第２指掛け部５１３のＸ方向の寸法より小さいこととした。しかしながら、本発明はこれに限らない。すなわち、開口部の形状、及び、当該開口部の形状に合わせたレンズキャップの形状は、他の形状であってもよい。例えば、第２実施形態と同様に略円形状に形成してもよい。また、この状態で、第１指掛け部５１２と第２指掛け部５１３とが同形状の凹部を有することとしてもよい。
【００５７】
上記第１実施形態において、環状部５１４のＹ方向側の端部に第１爪部５２が設けられ、当該環状部５１４のＹ方向とは反対側の端部に第２爪部５３及び第３爪部５４が設けられることとした。しかしながら、本発明は、これに限らない。すなわち、レンズキャップにおいて上部に位置する爪部の数より、下部に位置する爪部の数が多ければ、上部及び下部に配置される爪部の数は問わない。一方、上部に位置する爪部の数と、下部に位置する爪部の数とが同数であってもよい。例えば、Ｙ方向の端部及びＹ方向と反対方向の端部に１つずつ爪部を設けることとしてもよいし、２つずつ爪部を設けることとしてもよい。
また、爪部は、レンズキャップの上部及び下部にそれぞれ形成され、指掛け部も、当該各爪部に応じてレンズキャップの上部及び下部にそれぞれ形成されるとした。しかしながら、本発明はこれに限らない。例えば、レンズキャップの左右に、爪部及び指掛け部が形成されていてもよい。すなわち、レンズキャップにおいて同じ側に配置された爪部及び指掛け部において、当該指掛け部に指を掛ける方向と、当該爪部が係合部から離れる方向とが略平行であればよい。
【００５８】
上記第１実施形態において、第１指掛け部５１２及び第２指掛け部５１３を設けることとした。しかしながら、本発明はこれに限らない。例えば、第１指掛け部５１２及び第２指掛け部５１３の一方のみが形成されていてもよい。例えば、第１指掛け部５１２のみ設けた場合でも、当該第１指掛け部５１２に指を掛け当該第１指掛け部５１２を圧迫することにより、第１爪部５２を開口部２３１の起立部２３１２から外すことができるので、同様にレンズキャップ５をフロントケース２３の開口部２３１から取り外すことができる。また、第２指掛け部５１３のみを設けた場合も同様に、レンズキャップ５をフロントケース２３の開口部２３１から取り外すことができる。
【００５９】
上記第２実施形態において、各爪部６２１，６３１は、各突出部６２，６３のＺ方向とは反対側の端部においてＸ方向の全域に形成されることとした。しかしながら、本発明は、これに限らない。例えば、当該端部におけるＸ方向の一部に爪部を形成してもよいし、上記第１実施形態と同様に、爪部を挟む切欠を形成してもよい。これによれば、レンズキャップを装着する際の抵抗を減じることができ、レンズキャップ６をフロントケース２３Ａの係合部２３Ａ１，２３Ａ３に対して容易に着脱できる。
【００６０】
上記各実施形態において、第１指掛け部５１２，６１２及び第２指掛け部５１３，６１３が指掛け方向に凹む凹部５１２Ａ，５１３Ａ，６１２Ａ，６１３Ａを有することとした。しかしながら、本発明は、これに限らない。例えば、各指掛け部５１２，５１３，６１２，６１３に、当該凹部に代えて、操作者の指が掛かる凸部が形成されていてもよく、或いは、操作者の指の摺動抵抗を大きくする凹凸が形成されていてもよい。すなわち、掛けられた指によりレンズキャップ５，６を圧迫できれば、各指掛け部５１２，５１３，６１２，６１３はどのような形状であってもよい。
【００６１】
上記各実施形態では、光学ユニット４は背面部２Ｄ及び右側面部２Ｆのそれぞれに沿う略Ｌ字状に構成されていたが、本発明はこれに限らない。例えば、略Ｕ字状に構成された光学ユニットを採用してもよい。
上記各実施形態では、光束入射面と光束射出面とが異なる透過型の液晶パネル４５３を用いていたが、光入射面と光射出面とが同一となる反射型の液晶パネルを用いてもよい。
【００６２】
上記各実施形態では、プロジェクター１は、３つの液晶パネル４５３Ｒ，４５３Ｇ，４５３Ｂを備えるとしたが、本発明はこれに限らない。すなわち、２つ以下、あるいは、４つ以上の液晶パネル４５３を用いたプロジェクターにも、本発明を適用可能である。
上記各実施形態では、光入射面と光出射面とが異なる透過型の液晶パネル４５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００６３】
上記実施形態では、光源装置４１は、光源ランプ４１１と、光源ランプ４１１から出射された光を反射させるリフレクター４１２とを有する構成とした。しかしながら、本発明はこれに限らない。例えば、光源ランプの数は２つでもよく、３つ以上でもよい。また、光源装置４１は、光源ランプ４１１を有する構成に限らず、ＬＥＤ（Light Emitting Diode）やＬＤ（Laser Diode）等の固体光源を有する構成としてもよい。
【符号の説明】
【００６４】
１，１Ａ…プロジェクター、２…外装筐体、５，６…レンズキャップ、２３，２３Ａ…フロントケース（外装筐体）、２３Ａ１，２３Ａ３…係合部（開口部の外周縁）、４６…投射光学装置、５１…本体部、５２…第１爪部、５３…第２爪部、５４…第３爪部、５５…第１切欠、５６…第２切欠、５７…第３切欠、１１２，５１２…第１指掛け部、１１３，５１３…第２指掛け部、２３１，２３１Ａ…開口部、４６１…投射レンズ、４６２…鏡筒、６２１…第１爪部、６３１…第２爪部、２３１１…内周縁、２３１２…起立部、５１４１…第１リブ、５１４２…第２リブ、５１４３…第３リブ。
【図１】
0006375737.tif 000002
【図２】
0006375737.tif 000003
【図３】
0006375737.tif 000004
【図４】
0006375737.tif 000005
【図５】
0006375737.tif 000006
【図６】
0006375737.tif 000007
【図７】
0006375737.tif 000008
【図８】
0006375737.tif 000009
【図９】
0006375737.tif 000010
【図１０】
0006375737.tif 000011